(57)【要約】【課題】赤色画素、緑色画素、青色画素、及び白色画素の４つのサブ画素それぞれに対応する光フィルタ層が表面に形成されたカラーフィルタ基板と白色発光する有機ＥＬ発光素子がサブ画素ごとに形成される白色発光部とを含む有機ＥＬ表示装置において、円偏光板がなくても外光反射が抑制されるようにする。【解決手段】有機エレクトロルミネッセンス表示装置１は、赤色画素、緑色画素、青色画素、及び白色画素の４つのサブ画素それぞれに対応する光フィルタ層９が表面に形成されたカラーフィルタ基板４と、白色発光する有機エレクトロルミネッセンス発光素子７がサブ画素ごとに形成される白色発光部６と、を含む。有機エレクトロルミネッセンス表示装置１では、前記白色画素に対応する光フィルタ層９ＷにおけるＣ光源を基準とした光の透過率が、かなり低く、４０パーセント以上且つ６０パーセント以下に調整されている。【選択図】図１
2015149222.tif 000002
【特許請求の範囲】
【請求項１】
赤色を表示するサブ画素、緑色を表示するサブ画素、青色を表示するサブ画素、及び白色を表示するサブ画素とからなる画素と、
前記サブ画素のそれぞれに対応する光フィルタ層と、
前記サブ画素のそれぞれに設けられた、有機エレクトロルミネッセンス発光素子を具備する発光部と、
を含む有機エレクトロルミネッセンス表示装置において、
円偏光板が備えられておらず、
前記白色を表示するサブ画素に対応する前記光フィルタ層におけるＣ光源を基準とした光の透過率が、４０パーセント以上且つ６０パーセント以下の透過率である、
有機エレクトロルミネッセンス表示装置。
【請求項２】
前記サブ画素のそれぞれに設けられた発光部は白色を発光し、
前記白色を表示するサブ画素に対応する前記光フィルタ層は、透明樹脂からなる、請求項１に記載の有機エレクトロルミネッセンス表示装置。
【請求項３】
第１の基板と、前記第１の基板と対向する第２の基板とを有し、
前記有機エレクトロルミネッセンス発光素子は第１の基板に形成され、
前記光フィルタ層は第２の基板に形成される、請求項１又は請求項２に記載の有機エレクトロルミネッセンス表示装置。
【請求項４】
前記白色を表示するサブ画素に対応する光フィルタ層における光の透過率が、前記赤色を表示するサブ画素に対応する光フィルタ層における光の透過率、前記緑色を表示するサブ画素に対応する光フィルタ層における光の透過率、及び前記青色を表示するサブ画素に対応する光フィルタ層における光の透過率の和、の１．５倍より低い透過率である、請求項１から請求項３の何れか１項に記載の有機エレクトロルミネッセンス表示装置。
【請求項５】
前記白色を表示するサブ画素に対応する光フィルタ層における光の透過率が前記和以下の透過率である、請求項４に記載の有機エレクトロルミネッセンス表示装置。
【請求項６】
赤色を表示するサブ画素、緑色を表示するサブ画素、青色を表示するサブ画素、及び白色を表示するサブ画素とからなる画素と、
前記サブ画素のそれぞれに対応する光フィルタ層と、
前記サブ画素のそれぞれに設けられた、有機エレクトロルミネッセンス発光素子を具備する発光部と、
を含む有機エレクトロルミネッセンス表示装置において、
円偏光板が備えられておらず、
前記白色を表示するサブ画素に対応する光フィルタ層における光の透過率が、前記赤色を表示するサブ画素に対応する光フィルタ層における光の透過率、前記緑色を表示するサブ画素に対応する光フィルタ層における光の透過率、及び前記青色を表示するサブ画素に対応する光フィルタ層における光の透過率の和、の１．５倍より低い透過率である、
有機エレクトロルミネッセンス装置。
【請求項７】
前記白色を表示するサブ画素に対応する光フィルタ層における光の透過率が前記和以下の透過率である、請求項６に記載の有機エレクトロルミネッセンス表示装置。
【請求項８】
前記サブ画素のそれぞれに設けられた発光部は白色を発光し、
前記白色を表示するサブ画素に対応する前記光フィルタ層は、透明樹脂からなる、請求項６又は請求項７に記載の有機エレクトロルミネッセンス表示装置。
【請求項９】
第１の基板と、前記第１の基板と対向する第２の基板とを有し、
前記有機エレクトロルミネッセンス発光素子は第１の基板に形成され、
前記光フィルタ層は第２の基板に形成される、請求項６から請求項８の何れか１項に記載の有機エレクトロルミネッセンス表示装置。
【発明の詳細な説明】
【技術分野】
【０００１】
本発明は、有機エレクトロルミネッセンス表示装置に関する。
【背景技術】
【０００２】
赤色を表示するサブ画素（以下、赤色画素）、緑色を表示するサブ画素（以下、緑色画素）、青色を表示するサブ画素（以下、青色画素）、及び白色を表示するサブ画素（以下、白色画素）からなる四色のサブ画素により、画像を表示する有機エレクトロルミネッセンス表示装置が知られている。このような有機エレクトロルミネッセンス表示装置には、色変換方式でカラー化を行うもの（下記、特許文献１）や、カラーフィルタ方式でカラー化を行うものがある。
【先行技術文献】
【特許文献】
【０００３】
【特許文献１】特開２００５−１９６０７５号公報
【発明の概要】
【発明が解決しようとする課題】
【０００４】
カラーフィルタ方式でカラー化を行う場合、有機エレクトロルミネッセンス表示装置には、白色発光する有機エレクトロルミネッセンス発光素子（以下、白色発光素子と表記する）がサブ画素ごとに形成される白色発光部と、白色光を四色にカラー化するカラーフィルタ基板と、が備えられる。カラーフィルタ基板の表示面にはそれぞれのサブ画素に対応する光フィルタ層が形成され、赤色画素に対応する光フィルタ層、緑色画素に対応する光フィルタ層、青色画素に対応する光フィルタ層、及び白色画素に対応する光フィルタ層は、それぞれ、赤色、緑色、青色、及び白色に対応する波長域の光を透過させる。
【０００５】
白色画素に対応する光フィルタ層として通常用いられる光フィルタ層における透過率は、一般的に高い（Ｃ光源を基準として約８０％以上）。従って、外光は、大きく減光されることなく、白色画素に対応する光フィルタ層を透過する。また、内部の界面（例えば白色発光素子を構成する反射電極）で反射した後も、大きく減光することなく、この光フィルタ層を透過して出力される。そのため、外光反射によってコントラストが低下する恐れがある。
【０００６】
そこで、外光反射を抑制する円偏光板の使用が考えられるが、これを用いないのであれば、外光反射を抑制するために、円偏光板の使用に代わる措置が必要となる。
【０００７】
本発明の目的は、赤色を表示するサブ画素、緑色を表示するサブ画素、青色を表示するサブ画素、及び白色を表示するサブ画素のそれぞれに対応する光フィルタ層が表面に形成されたカラーフィルタ基板と、白色発光する有機エレクトロルミネッセンス発光素子がサブ画素ごとに形成される白色発光部と、を含む有機エレクトロルミネッセンス表示装置において、円偏光板がなくても、外光反射が抑制されるようにすることである。
【課題を解決するための手段】
【０００８】
上記課題を解決するための本発明に係る有機エレクトロルミネッセンス表示装置は、赤色を表示するサブ画素、緑色を表示するサブ画素、青色を表示するサブ画素、及び白色を表示するサブ画素とからなる画素と、前記サブ画素のそれぞれに対応する光フィルタ層と、前記サブ画素のそれぞれに設けられた、有機エレクトロルミネッセンス発光素子を具備する発光部と、を含む有機エレクトロルミネッセンス表示装置であって、円偏光板が備えられておらず、前記白色を表示するサブ画素に対応する光フィルタ層におけるＣ光源を基準とした光の透過率が、４０パーセント以上且つ６０パーセント以下の透過率であることを特徴としている。
【０００９】
また、上記課題を解決するための他の発明に係る有機エレクトロルミネッセンス表示装置は、赤色を表示するサブ画素、緑色を表示するサブ画素、青色を表示するサブ画素、及び白色を表示するサブ画素とからなる画素と、前記サブ画素のそれぞれに対応する光フィルタ層と、前記サブ画素のそれぞれに設けられた、有機エレクトロルミネッセンス発光素子を具備する発光部と、を含む有機エレクトロルミネッセンス表示装置であって、円偏光板が備えられておらず、前記白色を表示するサブ画素に対応する光フィルタ層における光の透過率が、前記赤色を表示するサブ画素に対応する光フィルタ層における光の透過率、前記緑色を表示するサブ画素に対応する光フィルタ層における光の透過率、及び前記青色を表示するサブ画素に対応する光フィルタ層における光の透過率の和、の１．５倍より低い透過率であることを特徴としている。ここで、前記白色を表示するサブ画素に対応する光フィルタ層における光の透過率は、前記和以下の透過率であってもよい。
【図面の簡単な説明】
【００１０】
【図１】本発明の実施形態に係る有機エレクトロルミネッセンス表示装置の構成を模式的に示す図である。
【図２】本発明の実施形態に係る有機エレクトロルミネッセンス表示装置の表示面における画素の構成を示す図である。
【図３】サブ画素の断面図である。
【図４】外光反射について説明するための図である。
【発明を実施するための形態】
【００１１】
以下に、本発明の実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１２】
図１は、本発明の実施形態に係る有機エレクトロルミネッセンス表示装置１（以下、有機ＥＬ表示装置１と表記する）の構成を模式的に示す図である。有機ＥＬ表示装置１は、カラーフィルタ方式でカラー化を行う有機ＥＬ表示装置であり、同図に示すように、下から、薄膜トランジスタがアレイ状に形成されたＴＦＴ基板２と、白色発光する有機エレクトロルミネッセンス発光素子７（以下、白色発光素子と表記する）が後述する４つのサブ画素ごとに形成される白色発光部６と、カラーフィルタ基板４と、を備える。また、図示していないドライバＩＣ等も備える。白色発光部６から出力される白色光がカラーフィルタ基板により、四色にカラー化される。ここではトップエミッション方式が採用されており、カラーフィルタ基板４の上面が画像の表示面にあたる。表示面に円偏光板は備えられていない。
【００１３】
図２は、有機ＥＬ表示装置１の表示面における画素８の構成を示す図である。同図に示すように、画素８は、赤色（Ｒ）を表示するサブ画素である赤色画素１０Ｒ、緑色（Ｇ）を表示するサブ画素である緑色画素１０Ｇ、青色（Ｂ）を表示するサブ画素である青色画素１０Ｂ、及び白色（Ｗ）を表示するサブ画素である白色画素１０Ｗ、の４つのサブ画素１０を含む。各サブ画素１０は、ブラックマトリクスＢＭにより区分けされ、赤色画素１０Ｒ、緑色画素１０Ｇ、青色画素１０Ｂ、及び白色画素１０Ｗ、の順に時計回りに配置されている。
【００１４】
カラーフィルタ基板４は、透明ガラス基板であり、図１に示すように、ＴＦＴ基板２に対向する下面には、各サブ画素１０に対応する光フィルタ層９が形成されている。すなわち、白色発光素子６から発光した白色光を四色にカラー化するために、光フィルタ層９Ｒ、光フィルタ層９Ｇ、光フィルタ層９Ｂ、光フィルタ層９Ｗが形成されている。
【００１５】
光フィルタ層９Ｒは、赤色画素１０Ｒに対応する光フィルタ層９であり、赤色に対応する波長域の光を透過させる。図１に示すように、光フィルタ層９Ｒは、赤色画素１０Ｒに対応する白色発光素子７Ｒの上方に設けられ、光フィルタ層９ＲにおけるＣ光源（国際照明委員会（ＣＩＥ）が規定する標準光源）を基準とした光の透過率Ｔｒは、一般的に約１０％から約２０％である。光フィルタ層９Ｒは、赤色画素１０Ｒに対応する領域に形成される。また、光フィルタ層９Ｇは、緑色画素１０Ｇに対応する光フィルタ層９であり、緑色に対応する波長域の光を透過させる。図１に示すように、光フィルタ層９Ｇは、緑色画素１０Ｇに対応する白色発光素子７Ｇの上方に設けられ、光フィルタ層９ＧにおけるＣ光源を基準とした光の透過率Ｔｇは、約３０％から約４０％である。光フィルタ層９Ｇは、緑色画素１０Ｇに対応する領域に形成される。また、光フィルタ層９Ｂは、青色画素１０Ｂに対応する光フィルタ層９であり、青色に対応する波長域の光を透過させる。図１に示すように、光フィルタ層９Ｂは、青色画素１０Ｂに対応する白色発光素子７Ｂの上方に設けられ、光フィルタ層９ＢにおけるＣ光源を基準とした光の透過率Ｔｂは、約３％から約８％である。光フィルタ層９Ｂは、青色画素１０Ｂに対応する領域に形成される。光フィルタ層９Ｒ、光フィルタ層９Ｇ、及び光フィルタ層９Ｂは、通常用いられるカラーレジスト（染料系及び顔料系材料）からなり、着色層とも呼ばれる。
【００１６】
また、光フィルタ層９Ｗは、白色画素１０Ｗに対応する光フィルタ層９であり、図１に示すように、白色画素１０Ｗに対応する白色発光素子７Ｗの上方に設けられる。光フィルタ層９Ｗは、白色に対応する波長域の光を透過させ、白色画素１０Ｗに対応する領域に形成される。本実施形態の場合、光フィルタ層９Ｗは、透明樹脂により構成される。
【００１７】
光フィルタ層９ＷにおけるＣ光源を基準とした光の透過率Ｔｗは、白色画素に対応する光フィルタ層として通常用いられるものの透過率（少なくとも８０％）より相当低い値に調整されている。具体的には、透過率Ｔｗは、４０％以上且つ６０％以下の透過率に調整されている。この意義については後述する。
【００１８】
図３は、サブ画素１０の断面図を示すＩＩＩ−ＩＩＩ断面図である。前述したように、有機ＥＬ表示装置１は、ＴＦＴ基板２と、白色発光部６と、カラーフィルタ基板４と、を含む。ＴＦＴ基板２の上には配線層１２が形成され、ＴＦＴ基板２及び配線層１２の上に、シリコン窒化膜１４、及び平坦化膜１６が順に積層されている。
【００１９】
そして、平坦化膜１４の上に、白色発光素子７を構成する、いわゆる反射電極たるアノード電極１８、白色発光する有機化合物からなる有機エレクトロルミネッセンス層２０、及び透明電極であるカソード電極２２が順に積層されている。また、白色発光部６の上に、保護層２４が形成され、カラーフィルタ基板４が置かれている。保護層２４とカラーフィルタ基板４の間の空間は、充填材２６で充填されている。
【００２０】
ここで、外光反射について説明する。図４は、外光反射について説明するための図であり、サブ画素１０Ｗの断面図でもある。外光反射の原因には、カラーフィルタ基板４の表面における外光の反射３０、光フィルタ層９と充填材２６との界面における外光の反射３２、及びアノード電極１８における外光の反射３４等があるが、このうち反射３４の影響が大きい。
【００２１】
白色画素に対応する光フィルタ層として通常用いられる光フィルタ層を光フィルタ層９Ｗとして用いた場合、透過率Ｔｗが少なくとも８０％と高くなる。この場合、反射３４では、外光が、入射時及び反射時と、光フィルタ層９Ｗを二回透過するものの、大きく減光されることなく、出力される。よって、前述のように外光反射を抑制する円偏光板が表示面に設けられていないので、外光反射によってコントラストが低下する恐れがある。
【００２２】
この点、円偏光板を備えていない有機ＥＬ表示装置１では、外光反射を抑制するために、透過率Ｔｗが、白色画素に対応する光フィルタ層として通常用いられる光フィルタ層に比して相当低い透過率に調整されている。すなわち、前述のように、透過率Ｔｗが、４０％以上且つ６０％以下の透過率に調整されている。よって、円偏光板がなくても外光反射を抑制できる。また、透過率Ｔｗが、Ｃ光源を基準とした円偏光板における光の透過率の理論値５０％付近の透過率となっているので、白色画素１０Ｗの輝度を円偏光板を備える場合と同程度に維持することもできる。なお、円偏光板を備える場合より、赤色画素１０Ｒ、緑色画素１０Ｇ、及び青色画素１０Ｂの輝度が上がることにもなる。
【００２３】
以上のように、有機ＥＬ表示装置１では、光フィルタ層９Ｗにおける光の透過率Ｔｗが、高くても６０％に調整される。よって、円偏光板がなくても、外光反射が抑制されるようになる。
【００２４】
なお、透過率Ｔｗが高くても６０％に調整されると述べたが、これは、透過率Ｔｗが、Ｔｒ、Ｔｇ、及びＴｂの和の１．５倍より低い透過率に調整されるということでもある。
【００２５】
なお、本発明は、上述した実施形態に限定されるものではなく種々の変形が可能である。例えば、本発明は、有機ＥＬ表示装置１がボトムエミッション方式の有機ＥＬ表示装置である場合にも適用可能である。また、例えば、各サブ画素１０はどのように配置されてもよく、図２とは異なり、例えば赤色画素１０Ｒ、緑色画素１０Ｇ、青色画素１０Ｂ、及び白色画素１０Ｗの順に横一列に配置されてもよい。更に、ＴＦＴ基板２にカラーフィルタ層９を形成してもよい。この場合、封止材２６が有機エレクトロルミネッセンス層２０やカラーフィルタ層９を保護し、カラーフィルタ基板４を省略する構造にしてもよい。
【００２６】
また、透過率Ｔｗが、４０％以上且つ４５％以下の透過率に調整されてもよい。すなわち、透過率Ｔｗが、透過率Ｔｒ、Ｔｇ、Ｔｂの和以下の透過率に調整されてもよい。Ｃ光源を基準とした円偏光板における光の透過率が、種々の要因で実際には約４５％以下の透過率となるからである。
【００２７】
また、以上の説明では、透過率Ｔｗ、Ｔｒ、Ｔｇ、及びＴｂをＣ光源を基準とした透過率であるものとして、透過率ＴｗがＴｒ、Ｔｇ、及びＴｂの和の１．５場合より低い透過率（例えば、上記和以下の透過率）に調整されていると述べたが、これは、透過率Ｔｗ、Ｔｒ、Ｔｇ、及びＴｂがＣ光源以外の標準光源（例えば、Ａ光源及びＢ光源など）を基準とした透過率である場合においても同様である。これらの透過率がＣ光源以外の標準光源を基準とした透過率である場合においても、透過率Ｔｗが上記和の１．５倍より低い透過率に調整されていれば、外光反射を抑止できる。
【００２８】
また例えば、実施形態で説明した構成は、実質的に同一の構成、同一の作用効果を奏する構成又は同一の目的を達成することができる構成で置き換えることができる。
【符号の説明】
【００２９】
１  有機エレクトロルミネッセンス表示装置、  ２  ＴＦＴ基板、４  カラーフィルタ基板、６  白色発光部、７，７Ｒ，７Ｇ，７Ｂ，７Ｗ  白色発光素子、８  画素、９，９Ｒ，９Ｇ，９Ｂ，９Ｗ  光フィルタ層、１０  サブ画素、１０Ｒ  赤色画素、１０Ｇ  緑色画素、１０Ｂ  青色画素、１０Ｗ  白色画素、１２  配線、１４  シリコン窒化膜、１６  平坦化膜、１８  アノード電極、２０  有機エレクトロルミネッセンス層、２２  カソード電極、２４  保護層、２６  充填材、３０，３２，３４  外光の反射、ＢＭ  ブラックマトリクス。
【図１】
2015149222.tif 000003
【図２】
2015149222.tif 000004
【図３】
2015149222.tif 000005
【図４】
2015149222.tif 000006